Podtech/llm-jp-corpus-v4-ja_patent huggingface dataset:
【手続補正書】
【提出日】平成16年2月26日(2004.2.26)
【手続補正１】
【補正対象書類名】明細書
【補正対象項目名】０００４
【補正方法】変更
【補正の内容】
【０００４】
例えば、ポンプ浚渫による場合、水底土砂Ｖｍ3 に対して５〜１０Ｖｍ3 の水を同時に吸い込み、揚水するので、水底土砂の５〜１０倍の浚渫土（水底土砂と水との混合物）が埋立地に投入され、ほぼ同じ量の余水が発生する。水底土砂は埋立地で沈降、堆積するが、水底土砂と同じ含水比まで圧密するためには長期間を要していた。実際には水底土砂の投入によって埋立地容積は１．２〜１．３倍程度に膨らむので、埋立地容積をＶとするとＶ／０．７〜０．８程度の水底土砂しか埋立できないものであった。
即ち、従来の水面下埋立工法では浚渫土を有効に利用することができない、という問題点を有していた。


【手続補正２】
【補正対象書類名】明細書
【補正対象項目名】０００５
【補正方法】変更
【補正の内容】
【０００５】
陸上の埋立工法には土をダイヤフラム式フィルタープレスやベルトプレス式フィルタープレス等の加圧脱水機を使用し、高圧密で強度の高い土質を突き固め、高圧密で容積を小さくした土を埋立用として使用している。即ち、土の自重は、約１．８ｔｏｎ／ｍ3 （１．８ｔｏｎ／１００００ｃｍ2 ＝０．１８Ｋｇ／ｃｍ2 ）０．０１８Ｍｐａの圧力であるから圧力の高い脱水機を使用することで前記の土が得られる。
【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】  グルコースと脂肪族ジカルボン酸とのエステルを主鎖に含む高分子化合物であって、該グルコースはその第１位及び第６位において該脂肪族ジカルボン酸とエステル結合を形成し、また該グルコースの第２位、第３位および第４位の水酸基のうちの少なくとも１つはアセチル化されていることを特徴とする高分子化合物。
【請求項２】  該グルコースの第２位、第３位および第４位の水酸基の１つまたは２つがアセチル化されている請求項１に記載の高分子化合物。
【請求項３】  該脂肪族ジカルボン酸がアジピン酸またはセバシン酸である請求項１に記載の高分子化合物。
【請求項４】  主鎖が、更にオリゴ糖と脂肪族ジカルボン酸とのエステルを含む請求項１乃至３のいずれかの項に記載の高分子化合物。
【請求項５】  該オリゴ糖がグルコースの２〜６量体の部分アセチル化体である請求項４に記載の高分子化合物。
【請求項６】  グルコースと脂肪族ジカルボン酸とのエステルを主鎖に含む高分子化合物の製造方法であって、
（ｉ）グルコースの第１位および第６位の水酸基を脂肪族ジカルボン酸でエステル化せしめ、グルコースと脂肪族ジカルボン酸とのエステルを含む高分子鎖を形成する工程；および
（ｉｉ）該グルコースの第２位、第３位及び第４位の少なくとも１箇所の水酸基をアセチル化せしめる工程、
とを有することを特徴とする高分子化合物の製造方法。
【請求項７】  該工程（ｉ）および該工程（ｉｉ）とを同一の反応容器内で行なう請求項６記載の高分子化合物の製造方法。
【請求項８】  グルコースと脂肪族ジカルボン酸とのエステルを主鎖に含み、該グルコースはその第１位及び第６位において該脂肪族ジカルボン酸とエステル結合を形成し、また該グルコースの第２位、第３位および第４位の水酸基のうちの少なくとも１つはアセチル化されている高分子化合物を含み、加熱によつて所定の形状に成形されていることを特徴とする成形体。
【請求項９】  グルコースと脂肪族ジカルボン酸とのエステルを主鎖に含み、該グルコースはその第１位及び第６位において該脂肪族ジカルボン酸とエステル結合を形成し、また該グルコースの第２位、第３位および第４位の水酸基のうちの少なくとも１つはアセチル化されている高分子化合物を含み、加圧によつて所定の形状に成形されていることを特徴とする成形体。
【請求項１０】古紙の再資源化方法であって、
（ｉ）古紙の分解糖化を行なってグルコースを得る工程；および
（ｉｉ）該グルコースと脂肪族ジカルボン酸とを反応せしめて、グルコースと脂肪族ジカルボン酸とのエステルを主鎖に含み、該グルコースはその第１位及び第６位において該脂肪族ジカルボン酸とエステル結合を形成し、また該グルコースの第２位、第３位および第４位の水酸基のうちの少なくとも１つはアセチル化されている高分子化合物を得る工程、
を有することを特徴とする古紙の再資源化方法。
【手続補正２】
【補正対象書類名】明細書
【補正対象項目名】０００７
【補正方法】変更
【補正の内容】
【０００７】
該グルコースの第２位、第３位および第４位の水酸基の１つまたは２つがアセチル化されているのが好ましい。
該脂肪族ジカルボン酸がアジピン酸またはセバシン酸であるのが好ましい。
主鎖が、更にオリゴ糖と脂肪族ジカルボン酸とのエステルを含むものが好ましい。
該オリゴ糖がグルコースの２〜６量体の部分アセチル化体であるものが好ましい。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正書】
【提出日】平成16年7月20日(2004.7.20)
【手続補正１】
【補正対象書類名】明細書
【補正対象項目名】００１７
【補正方法】変更
【補正の内容】
【００１７】
また、原稿搬送路２１（通常搬送路２２，反転搬送路２３）には原稿位置を認識するための位置センサ６１〜６７が配設されている。
本実施の形態において、位置センサ６１は原稿セットトレイ２０に原稿が収容されているか否かを検知するものであり、位置センサ６２は原稿の先端がフィードロール３３を通過したことを検知するフィードセンサであり、位置センサ６３は原稿の先端がレジロール３６近傍に到達していることを検知するレジセンサであり、位置センサ６４は原稿の先端がアウトロール３８近傍に到達していることを検知するアウトセンサであり、位置センサ６５，６６は原稿が第１出口ロール３９あるいは第２出口ロール４０近傍に到達していることを検知するものであり、位置センサ６７は原稿の先端が反転搬送路２３の途中に到達したことを検知するデュープセンサである。
尚、符号６８は原稿セットトレイ２０上にある原稿のサイズを検知する原稿サイズセンサである。
【手続補正２】
【補正対象書類名】図面
【補正対象項目名】図９
【補正方法】変更
【補正の内容】
【図９】
2001226046.tif 000001
【手続補正書】
【提出日】平成17年9月9日(2005.9.9)
【手続補正１】
【補正対象書類名】明細書
【補正対象項目名】００４５
【補正方法】変更
【補正の内容】
【００４５】
比較例３
実施例１と同様の銅箔を用いて実施例１の（１）及び（２）の処理を行った後、この銅箔を水洗し、硫酸銅５水和物１３０ｇ／ｌ、硫酸１００ｇ／ｌ、浴温度３０℃に調整したメッキ浴を用いて、電流密度３０Ａ／ｄｍ2で３秒間電解処理（限界電流密度以上）を施し樹枝状銅層（コガシメッキ）を形成した。樹枝状銅層の銅の付着量は３０，０００μｇ／ｄｍ2、表面粗さはＲａ１．３μｍであった。
【手続補正２】
【補正対象書類名】明細書
【補正対象項目名】００４７
【補正方法】変更
【補正の内容】
【００４７】
比較例４
実施例１と同様の銅箔を用いて実施例１の（１）及び（２）の処理を行った後、この銅箔を水洗し、硫酸銅５水和物１３０ｇ／ｌ、硫酸１００ｇ／ｌ、浴温度３０℃に調整したメッキ浴を用いて、電流密度５Ａ／ｄｍ2で８０秒間電解処理（限界電流密度未満）を施し平滑銅層（カブセメッキ）を形成した。平滑銅層の銅の付着量は１３２，０００μｇ／ｄｍ2、表面粗さはＲａ１．１μｍであった。
【手続補正３】
【補正対象書類名】明細書
【補正対象項目名】００５７
【補正方法】変更
【補正の内容】
【００５７】
【表１】
2001226795.tif 000001
図１と図２を対比すると明らかなように、実施例１で得られた粗化処理銅箔は、比較例５で得られた粗化処理銅箔のようにコブ状銅が銅箔面の凸部領域に集中して電析することなく、凹凸部全体にコブ状銅が電析している。その結果表面粗さ（Ｒａ）が小さいにもかかわらず、接着強度が向上し、また、Ｒａの値が小さいのでプリント回路作製時に行われるエッチング後の基材面の残銅や、小さな摩擦力による銅粉落ちの発生が防止される。
【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】
バッキングプレートに固定して真空チャンバ内部の成膜室に配設された成膜材料のターゲットと、
前記真空チャンバの端面と前記バッキングプレートとの間に介設されて、前記両者間を電気絶縁し、且つ真空シールしながら前記バッキングプレートを支持する真空シール絶縁支持機構とを備えてなり、
前記真空シール絶縁支持機構は、
比較的弾性の小さい電気絶縁材料によりリング状に形成されて前記バッキングプレートを支持するベース材と、比較的弾性の大きい電気絶縁材料により前記ベース材の外径よりも僅かに大きな内径と前記ベース材よりも僅かに小さい軸心方向の長さとを有するリング状に形成されて、前記ベース部材の外周を覆うように配置されたシールド部材と、このシールド部材の軸心方向の端面と前記バッキングプレートとの間に介在された弾性シール部材とを有して構成されていることを特徴とする成膜装置。
【請求項２】
真空シール絶縁支持機構は、ベース部材がセラミックを材料として、且つシールド部材がフッ素系樹脂を材料としてそれぞれ所定の径のリング状に形成されているとともに、弾性シール部材としてＯリングを用いて構成されている請求項１に記載の成膜装置。
【手続補正２】
【補正対象書類名】明細書
【補正対象項目名】０００８
【補正方法】変更
【補正の内容】
【０００８】
【課題を解決するための手段】
上記目的を達成するために、本発明の成膜装置は、バッキングプレートに固定して真空チャンバ内部の成膜室に配設された成膜材料のターゲットと、前記真空チャンバの端面と前記バッキングプレートとの間に介設されて、前記両者間を電気絶縁し、且つ真空シールしながら前記バッキングプレートを支持する真空シール絶縁支持機構とを備えてなり、前記真空シール絶縁支持機構は、比較的弾性の小さい電気絶縁材料によりリング状に形成されて前記バッキングプレートを支持するベース材と、比較的弾性の大きい電気絶縁材料により前記ベース材の外径よりも僅かに大きな内径と前記ベース材よりも僅かに小さい軸心方向の長さとを有するリング状に形成されて、前記ベース部材の外周を覆うように配置されたシールド部材と、このシールド部材の軸心方向の端面と前記バッキングプレートとの間に介在された弾性シール部材とを有して構成されていることを特徴としている。
【手続補正書】
【提出日】平成16年6月21日(2004.6.21)
【手続補正１】
【補正対象書類名】明細書
【補正対象項目名】０００８
【補正方法】変更
【補正の内容】
【０００８】
すなわち、本発明によれば、「単繊維繊度が０．１〜１７．０デニール、繊維横断面中空率が４０〜８５％、捲縮数が５〜３０個／２５ｍｍ、捲縮率が８〜５０％、シルクファクターが１５〜２５、結晶化度が２０％以上、（０１０）面の結晶サイズが４ｎｍ以上である高中空ポリエステル繊維（Ａ）５０〜９５重量％と、熱接着性繊維（Ｂ）５０〜５重量％とが分散混合された繊維構造体であって、該熱接着性繊維の融着により構成繊維の少なくとも一部が接合されていることを特徴とする繊維構造体。」が提供される。
【手続補正書】
【提出日】平成16年5月13日(2004.5.13)
【手続補正１】
【補正対象書類名】明細書
【補正対象項目名】００１１
【補正方法】変更
【補正の内容】
【００１１】
また、前記第１マトリクスを｛Ｌij（ｉ，ｊ＝１〜３）｝とし、前記判別された光源の範囲のうち基準光源をＰ0 、その他の光源をＰm （ｍは光源の種類を表す）とし、ｒ（λ）、ｇ（λ）、ｂ（λ）をそれぞれ、前記入力画像データの入力分光感度Ｒ（λ）、Ｇ（λ）、Ｂ（λ）および前記第１マトリクス｛Ｌij｝とから、
次式
ｒ（λ）＝Ｌ11・Ｒ（λ）＋Ｌ12・Ｇ（λ）＋Ｌ13・Ｂ（λ）
ｇ（λ）＝Ｌ21・Ｒ（λ）＋Ｌ22・Ｇ（λ）＋Ｌ23・Ｂ（λ）
ｂ（λ）＝Ｌ31・Ｒ（λ）＋Ｌ32・Ｇ（λ）＋Ｌ33・Ｂ（λ）
で規定される実効的な入力分光感度とするとき、
次式
ｍａｘm ｛｜log （Ｐm ,r)/( Ｐ0,r)−log （Ｐm ,g)/( Ｐ0,g)｜
＋｜log （Ｐm ,g)/( Ｐ0,g)−log （Ｐm ,b)/( Ｐ0,b)｜｝
を最小化するようにして、前記第１マトリクスを決定するようにしたことが好ましい。
【手続補正２】
【補正対象書類名】明細書
【補正対象項目名】００１２
【補正方法】変更
【補正の内容】
【００１２】
また、前記第１マトリクスを｛Ｌij（ｉ，ｊ＝１〜３）｝とし、前記判別された光源の範囲のうち基準光源をＰ0 、その他の光源をＰm （ｍは光源の種類を表す）とし、ｒ（λ）、ｇ（λ）、ｂ（λ）をそれぞれ、前記入力画像データの入力分光感度Ｒ（λ）、Ｇ（λ）、Ｂ（λ）および前記第１マトリクス｛Ｌij｝とから、次式
ｒ（λ）＝Ｌ11・Ｒ（λ）＋Ｌ12・Ｇ（λ）＋Ｌ13・Ｂ（λ）
ｇ（λ）＝Ｌ21・Ｒ（λ）＋Ｌ22・Ｇ（λ）＋Ｌ23・Ｂ（λ）
ｂ（λ）＝Ｌ31・Ｒ（λ）＋Ｌ32・Ｇ（λ）＋Ｌ33・Ｂ（λ）
で規定される実効的な入力分光感度とするとき、
次式
Σm ｛｜log （Ｐm ,r)/( Ｐ0,r)−log （Ｐm ,g)/( Ｐ0,g)｜
＋｜log （Ｐm ,g)/( Ｐ0,g)−log （Ｐm ,b)/( Ｐ0,b)｜｝
を最小化するようにして、前記第１マトリクスを決定するようにしたことが好ましい。
【手続補正書】
【提出日】平成17年6月27日(2005.6.27)
【手続補正１】
【補正対象書類名】明細書
【補正対象項目名】特許請求の範囲
【補正方法】変更
【補正の内容】
【特許請求の範囲】
【請求項１】
デジタル撮像システムであって、
デジタル画像を取得することができる画像取得ユニットと、
前記画像取得ユニットに結合された、相関行列のメモリと、
実際の画像データからの複数の画像を記憶するカラー画像データベースと、
前記画像取得ユニットおよび前記相関行列メモリに結合されたプロセッサであって、前記カラー画像データベースに記憶された前記実際の画像データからの前記複数の画像の色およびイルミナントに基づいて、前記取得したデジタル画像の色およびイルミナントを検出することができる画像処理プロセスを含む、プロセッサと、
を備える、デジタル撮像システム。
【請求項２】
デジタル撮像システムを動作させる方法であって、
実際の画像データを収集するステップと、
前記収集した実際の画像データからの複数の画像をカラー画像データベースに記憶するステップと、
デジタル画像を取得するステップと、
イルミナントおよび色度を含む相関行列のメモリを形成するステップであって、該相関行列は、第１の次元が、候補となる一組のイルミナントに対応し、第２の次元が色度に対応する、二次元の行列である、ステップと、
前記カラー画像データベースに格納される前記実際の画像データからの前記複数の画像の色およびイルミナントに基づいて、前記取得したデジタル画像の色およびイルミナントを検出するステップと、
を含む、方法。
【請求項３】
デジタル撮像システムであって、
実際の画像データからの複数の画像を、カラー画像データベースに記憶する手段と、
デジタル画像を取得する手段と、
イルミナントおよび色度のデータを含む相関行列のメモリを形成するための手段であって、該相関行列は、第１の次元が、候補となる一組のイルミナントに対応し、第２の次元が、色度に対応する、二次元の行列である、手段と、
前記カラー画像データベースに記憶された前記複数の画像の色およびイルミナントに基づいて、前記取得したデジタル画像の色およびイルミナントを検出する手段と、
を備える、デジタル撮像システム。
【手続補正書】
【提出日】平成16年11月2日(2004.11.2)
【手続補正１】
【補正対象書類名】明細書
【補正対象項目名】特許請求の範囲
【補正方法】変更
【補正の内容】
【特許請求の範囲】
【請求項１】
複数種類の色フィルタが水平垂直共に等ピッチで配列された撮像素子と、
前記撮像素子に入射する被写体光に対する除去帯域が互いに４５°の角度をなす二枚の複屈折性光学素子を組み合わせた光学ローパスフィルタとを有することを特徴とする撮像装置。
【請求項２】
前記撮像素子より出力された信号の水平方向の高周波部分の偽色を低減する偽色低減回路を有し、
前記光学ローパスフィルタは、除去帯域が画素の水平配列に対してそれぞれ２２．５°の角度をなし、かつ互いに４５°の角度をなす二枚の複屈折性光学素子を組み合わせた構成であることを特徴とする請求項１記載の撮像装置。
【請求項３】
前記撮像素子より出力された信号の垂直方向の高周波部分の偽色を低減する偽色低減回路を有し、
前記光学ローパスフィルタは、除去帯域が画素の垂直配列に対してそれぞれ２２．５°の角度をなし、かつ互いに４５°の角度をなす二枚の複屈折性光学素子を組み合わせた構成であることを特徴とする請求項１記載の撮像装置。
【請求項４】
複数種類の色フィルタが水平垂直共に等ピッチで配列された撮像素子と、
前記撮像素子に入射する被写体光に対して二枚の複屈折性光学素子を組み合わせた光学ローパスフィルタと、
当該光学ローパスフィルタを通過した被写体光に応じて、前記撮像素子より出力された信号の高周波部分の偽色を低減する偽色低減回路とを有することを特徴とする撮像装置。
【手続補正２】
【補正対象書類名】明細書
【補正対象項目名】００２４
【補正方法】変更
【補正の内容】
【００２４】
【課題を解決するための手段】
このため、本発明においては、下記の各項（１）〜（４）のいずれかに示す撮像装置を提供することにより、前記目的を達成しようとするものである。
【手続補正３】
【補正対象書類名】明細書
【補正対象項目名】００２７
【補正方法】変更
【補正の内容】
【００２７】
（３）前記撮像素子より出力された信号の垂直方向の高周波部分の偽色を低減する偽色低減回路を有し、前記光学ローパスフィルタは、除去帯域が画素の垂直配列に対してそれぞれ２２．５°の角度をなし、かつ互いに４５°の角度をなす二枚の複屈折性光学素子を組み合わせた構成であることを特徴とする前記（１）項記載の撮像装置。
（４）複数種類の色フィルタが水平垂直共に等ピッチで配列された撮像素子と、前記撮像素子に入射する被写体光に対して二枚の複屈折性光学素子を組み合わせた光学ローパスフィルタと、当該光学ローパスフィルタを通過した被写体光に応じて、前記撮像素子より出力された信号の高周波部分の偽色を低減する偽色低減回路とを有することを特徴とする撮像装置。
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
画像入力手段と、
該画像入力手段によって入力された画像から画素の状態値を更新すべき画素を選択する画素選択手段と、
該画素選択手段によって選択された画素の状態値を更新すべきか否かを当該画素の状態値から計算される選択確率に基づいて判定する判定手段と、
該判定手段によって更新すべきと判定された画素の状態値を更新する更新手段と、
該更新手段による更新後の画像を出力する画像出力手段とを備えたことを特徴とする画像処理装置。
【請求項２】
前記更新手段による画素の状態値の更新がなされない場合に、当該状態値から計算される選択確率を予め定められた規則に従って増加させることを特徴とする請求項１記載の画像処理装置。
【請求項３】
前記画素選択手段は、画素の状態値を更新すべき画素をランダムに選択することを特徴とする請求項１記載の画像処理装置。
【請求項４】
前記判定手段は、前記選択確率が判定ごとに決定される閾値以上であれば、前記選択された画素の状態値を更新すべきと判定することを特徴とする請求項１記載の画像処理装置。
【請求項５】
前記更新手段は、前記更新すべきと判定された画素の更新後の状態値を、当該画素に隣接する画素の状態値に基づいて決定することを特徴とする請求項１記載の画像処理装置。
【手続補正２】
【補正対象書類名】明細書
【補正対象項目名】００１８
【補正方法】変更
【補正の内容】
【００１８】
【課題を解決するための手段】
上記目的を達成するため、本発明の画像処理装置は、画像入力手段と、該画像入力手段によって入力された画像から画素の状態値を更新すべき画素を選択する画素選択手段と、該画素選択手段によって選択された画素の状態値を更新すべきか否かを当該画素の状態値から計算される選択確率に基づいて判定する判定手段と、該判定手段によって更新すべきと判定された画素の状態値を更新する更新手段と、該更新手段による更新後の画像を出力する画像出力手段とを備える。
【手続補正３】
【補正対象書類名】明細書
【補正対象項目名】００７２
【補正方法】変更
【補正の内容】
【００７２】
【発明の効果】
以上の説明で明らかなように、本発明によれば、画像処理装置に、画像入力手段と、該画像入力手段によって入力された画像から画素の状態値を更新すべき画素を選択する画素選択手段と、該画素選択手段によって選択された画素の状態値を更新すべきか否かを当該画素の状態値から計算される選択確率に基づいて判定する判定手段と、該判定手段によって更新すべきと判定された画素の状態値を更新する更新手段と、該更新手段による更新後の画像を出力する画像出力手段とを備えたため、画像の修復や領域分割等に応用されている基板技術としてのマルコフ確率場を高速で実行することができるという効果が得られる。
【手続補正書】
【提出日】平成16年6月1日(2004.6.1)
【手続補正１】
【補正対象書類名】明細書
【補正対象項目名】００２１
【補正方法】変更
【補正の内容】
【００２１】
また、本発明において、「入力分光感度」とは、入力画像が、デジタルスチルカメラ（ＤＳＣ）やスキャナ等の画像入力装置により入力された画像であれば、画像入力装置の分光感度を指す。なお、スキャナの場合には、読取素子（ＣＣＤ等）の分光感度（含フィルタ）によるデータが使われることが多いので、
入力分光感度＝装置分光感度
＝素子分光感度
となる。しかし、ＤＳＣの場合には、色補正マトリクスを組み合わせることが多いので、
入力分光感度＝装置分光感度
＝素子分光感度×マトリクス
と表すことができる。従って、ＤＳＣの場合には、素子分光感度そのものではなく、素子分光感度と色補正マトリクスの組み合わせである点を考慮し、「組み合わせ」を強調する目的で「実効的な入力分光感度」と記載するが、上述したように、装置分光感度という意味では、「入力分光感度」と「実効的な入力分光感度」とは、同じ意味である。
【手続補正２】
【補正対象書類名】明細書
【補正対象項目名】００２９
【補正方法】変更
【補正の内容】
【００２９】
新たに送られた最大値が、以前の最大値のうち最小のものより小さい場合には、最大値比較手段２４は、第１マトリクス設定手段２０に信号を送る。第１マトリクス設定手段２０では、第１マトリクスを設定し直して新しい第１マトリクスを平均色差算出手段１８に送り、再度光源毎の平均色差を算出し前と同様のことを繰り返し、平均色差の最大値がもうこれ以上小さくならないとなったところで、そのとき設定されている第１マトリクスが求めるものであるとしてマトリクスを決定する。
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
画像データを入力する入力手段と、
前記入力手段から入力された画像データを構成する複数の領域のそれぞれについて、画像の種類を判定する第一判定手段と、
前記入力手段から入力される画像データが、所定量以上連続的に入力されるか否かを判定する第二判定手段と、
前記第一判定手段と前記第二判定手段による判定結果に基づいて前記領域の圧縮に使用する符号化手法を選択する選択手段と、
前記選択手段により選択された符号化手法を用いて前記領域を圧縮する第一圧縮手段と、
前記領域の画像の種類に関する情報を圧縮する第二圧縮手段と
を含むことを特徴とする画像処理装置。
【請求項２】
画像データを構成する複数の領域を単位として符号化されてなる符号化データから該画像データを復号化する画像処理装置であって、
前記符号化データから復号の対象となる領域の画像の種類に関する情報を復号する第一復号化手段と、
前記第一復号化手段により復号化された情報に基づいて、前記各領域の画像の種類を判定する第一判定手段と、
該画像データが、所定量以上連続的に入力されたか否かを判定する第二判定手段と、
前記第一判定手段と前記第二判定手段による判定結果に基づいて前記領域の復号に使用する復号化手法を選択する選択手段と、
前記選択手段により選択された復号化手法を用いて前記領域を復号化する第二復号化手段と
を含むことを特徴とする画像処理装置。
【請求項３】
画像データを入力する入力工程と、
前記入力工程において入力された画像データを構成する複数の領域のそれぞれについて、画像の種類を判定する第一判定工程と、
前記入力工程において入力される画像データが、所定量以上連続的に入力されるか否かを判定する第二判定工程と、
前記第一判定工程と前記第二判定工程による判定結果に基づいて前記領域の圧縮に使用する符号化手法を選択する選択工程と、
前記選択工程により選択された符号化手法を用いて前記領域を圧縮する第一圧縮工程と、
前記領域の種類に関する情報を圧縮する第二圧縮工程と
を含むことを特徴とする画像処理方法。
【請求項４】
前記第二判定工程は、前記自動読み取り装置を使用したか否かによって判定を行うことを特徴とする請求項３に記載の画像処理方法。
【請求項５】
前記第二判定工程は、連続画像読み込みの数によって判定を行うことを特徴とする請求項３に記載の画像処理方法。
【請求項６】
前記第二判定工程は、連続画像読み込みの数と前記画像データを記憶保持する記憶工程との比較により判定を行うことを特徴とする請求項３に記載の画像処理方法。
【請求項７】
画像データを構成する複数の領域を単位として符号化されてなる符号化データから該画像データを復号化する画像処理方法であって、
前記符号化データから復号の対象となる領域の画像の種類に関する情報を復号する第一復号化工程と、
前記第一復号化工程により復号化された情報に基づいて、前記各領域の画像の種類を判定する第一判定工程と、
該画像データが、所定量以上連続的に入力されたか否かを判定する第二判定工程と、
前記第一判定工程と前記第二判定工程による判定結果に基づいて前記領域の復号に使用する復号化手法を選択する選択工程と、
前記選択工程により選択された復号化手法を用いて前記領域を復号化する第二復号化工程と、
を含むことを特徴とする画像処理方法。
【請求項８】
請求項３乃至７のいずれか１項に記載の画像処理方法をコンピュータによって実現するための制御プログラムを格納した記憶媒体。
【請求項９】
請求項３乃至７のいずれか１項に記載の画像処理方法をコンピュータによって実現するための制御プログラム。
【手続補正２】
【補正対象書類名】明細書
【補正対象項目名】０００７
【補正方法】変更
【補正の内容】
【０００７】
【課題を解決するための手段】
かかる課題を解決するため、例えば本発明の画像処理装置は以下の構成を備える。すなわち、
画像データを入力する入力手段と、
前記入力手段から入力された画像データを構成する複数の領域のそれぞれについて、画像の種類を判定する第一判定手段と、
前記入力手段から入力される画像データが、所定量以上連続的に入力されるか否かを判定する第二判定手段と、
前記第一判定手段と前記第二判定手段による判定結果に基づいて前記領域の圧縮に使用する符号化手法を選択する選択手段と、
前記選択手段により選択された符号化手法を用いて前記領域を圧縮する第一圧縮手段と、
前記領域の画像の種類に関する情報を圧縮する第二圧縮手段とを含む。
【手続補正３】
【補正対象書類名】明細書
【補正対象項目名】０００８
【補正方法】変更
【補正の内容】
【０００８】
また、本発明の画像処理装置は以下の構成を備える。すなわち、
画像データを構成する複数の領域を単位として符号化されてなる符号化データから該画像データを復号化する画像処理装置であって、
前記符号化データから復号の対象となる領域の画像の種類に関する情報を復号する第一復号化手段と、
前記第一復号化手段により復号化された情報に基づいて、前記各領域の画像の種類を判定する第一判定手段と、
該画像データが、所定量以上連続的に入力されたか否かを判定する第二判定手段と、
前記第一判定手段と前記第二判定手段による判定結果に基づいて前記領域の復号に使用する復号化手法を選択する選択手段と、
前記選択手段により選択された復号化手法を用いて前記領域を復号化する第二復号化手段とを含む。
【手続補正書】
【提出日】平成16年10月19日(2004.10.19)
【手続補正１】
【補正対象書類名】明細書
【補正対象項目名】請求項１
【補正方法】変更
【補正の内容】
【請求項１】
複数の画像を合成し、ダイナミックレンジの広い画像を得る画像合成装置において、前記複数の画像間の画像のぶれが被写体ぶれによるものか手ぶれによるものかを検出するぶれ検出手段と、被写体ぶれを補正して複数の画像を合成する第１の画像合成手段と、手ぶれを補正して複数の画像を合成する第２の画像合成手段と、前記ぶれ検出手段からのぶれ検出信号に応じて、前記第１の画像合成手段と前記第２の画像合成手段とを切り換える切換手段とを備えていることを特徴とする画像合成装置。
【手続補正２】
【補正対象書類名】明細書
【補正対象項目名】０００１
【補正方法】変更
【補正の内容】
【０００１】
【発明の属する技術分野】
この発明は、複数の画像を合成して、ダイナミックレンジを拡大して出力するぶれ補正機能を備えた画像合成装置に関する。
【手続補正３】
【補正対象書類名】明細書
【補正対象項目名】０００８
【補正方法】変更
【補正の内容】
【０００８】
【課題を解決するための手段】
上記問題点を解決するため、請求項１に係る発明は、複数の画像を合成し、ダイナミックレンジの広い画像を得る画像合成装置において、前記複数の画像間の画像のぶれが被写体ぶれによるものか手ぶれによるものかを検出するぶれ検出手段と、被写体ぶれを補正して複数の画像を合成する第１の画像合成手段と、手ぶれを補正して複数の画像を合成する第２の画像合成手段と、前記ぶれ検出手段からのぶれ検出信号に応じて、前記第１の画像合成手段と前記第２の画像合成手段とを切り換える切換手段とを備えていることを特徴とするものである。
【手続補正４】
【補正対象書類名】明細書
【補正対象項目名】００１０
【補正方法】変更
【補正の内容】
【００１０】
この構成の画像合成装置においては、ぶれ検出部61は、合成される画像から、画面全体が動く手ぶれか一部が動く被写体ぶれかを判定する。手ぶれ発生時には、画像が平行移動するため座標変換により補正することが望ましい。また、被写体ぶれ発生時には画像の一部のみが動くため、合成時に画像が二重になる不一致部に対しローパスをかけることにより補正することが望ましい。よって、手ぶれ補正処理部62及び被写体ぶれ補正処理部63はぶれ判定結果に従い、それぞれに対応した補正処理を行う。
【手続補正５】
【補正対象書類名】明細書
【補正対象項目名】００６４
【補正方法】変更
【補正の内容】
【００６４】
【発明の実施の形態】
次に、本発明に係る、複数の画像からダイナミックレンジの広い合成画像を得るぶれ補正機能を有する画像合成装置の実施の形態について説明する。図１は、本発明に係る画像合成装置の実施の形態の全体構成を示す概略ブロック構成図である。この実施の形態に係る画像合成装置は、画像を撮像するための撮像素子１，画像信号をデジタル信号に変換するためのＡ／Ｄ変換器２，前段の画像処理を行うための画像処理回路３，処理結果をメモリ４に格納するためのメモリコントローラ５，後段の処理を行うためのＣＰＵ６から構成されている。
【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】プログラム命令および動作パラメータ値に従ってハンドヘルド型電子装置の動作を制御するプロセッサと、
動作パラメータ値を記憶する記憶媒体と
を設けたハンドヘルド型電子装置であって、
前期記憶媒体は、
前記ハンドヘルド型電子装置の初期電源投入時に前記プロセッサの作業メモリにロードされる初期動作パラメータ値を記憶する電源投入時記憶領域と
前記ハンドヘルド型電子装置の電源投入後にユーザ選択時にメモリに選択的にロードされるところの、ユーザが選択した好みの動作パラメータ値を記憶する少なくとも１つの個人化モード記憶領域と
を含むハンドヘルド型電子装置。
【請求項２】前記動作パラメータ値が、ストロボ・モード設定、焦点モード設定、写真撮影モード設定、ピクチャ・カウント・モード設定、自動ホワイト・バランス・モード設定、露出補正モード設定、測光領域、測光タイプ、または自動焦点領域を含む、請求項１に記載のハンドヘルド型電子装置。
【請求項３】前記個人化モード記憶領域が、前記値をユーザ識別子に従って記憶する、請求項１に記載のハンドヘルド型電子装置。
【請求項４】前記個人化モード記憶領域が、前記値を撮影状況識別子に従って記憶する、請求項１に記載のハンドヘルド型電子装置。
【請求項５】前記ハンドヘルド型電子装置が、電子撮像装置を含む、請求項１に記載のハンドヘルド型電子装置。
【請求項６】以下の各段階を含むハンドヘルド型電子装置を操作する方法。
電源投入時動作パラメータ値を記憶するための第１の記憶領域と、ユーザ選択動作パラメータ値を含む少なくとも１つの個人化モードを記憶するための第２の記憶領域とを有する記憶媒体を提供する段階。
前記ハンドヘルド型電子装置の初期電源投入時に、前記ハンドヘルド型電子装置のプロセッサの作業メモリ内に前記電源投入時動作パラメータ値をロードする段階。
前記ハンドヘルド型電子装置が電源投入された後、ユーザが前記個人化モードを選択したときに、前記ユーザ選択動作パラメータ値を前記作業メモリにロードする段階。
【請求項７】前記ユーザ選択動作パラメータ値をロードする段階が、所定の電源投入時初期設定期間内にユーザ選択が行われなかった場合にデフォルトの組の初期動作パラメータ値をロードする、請求項６に記載の方法。
【請求項８】前記ユーザ選択動作パラメータ値をロードする段階が、ユーザ選択がなかった場合にデフォルトの組の動作パラメータ値をロードする請求項６に記載の方法。
【請求項９】ユーザ選択がなかった場合に、前記ロードする段階が第１の組の動作パラメータ値をロードする、請求項６に記載の方法。
【請求項１０】個人化モード記憶領域が１つの組のユーザ選択された好みの動作パラメータ値だけを含む場合に、前記ロードする段階が前記ユーザ選択された動作パラメータ値をロードする、請求項６に記載の方法。
【手続補正書】
【提出日】平成16年10月28日(2004.10.28)
【手続補正１】
【補正対象書類名】明細書
【補正対象項目名】発明の名称
【補正方法】変更
【補正の内容】
【発明の名称】テレビジョン装置及びテレビジョン装置の制御方法
【手続補正２】
【補正対象書類名】明細書
【補正対象項目名】特許請求の範囲
【補正方法】変更
【補正の内容】
【特許請求の範囲】
【請求項１】
外部ビデオ信号入力端子と、デジタルテレビジョン信号を選択受信するチュナー手段と、外部ビデオ信号をデジタイズするＡＤコンバータと該ＡＤコンバータの出力信号を画像処理して表示する表示手段とからなるテレビジョン装置において、
該外部ビデオ信号と該チュナー手段の出力信号とを切り換えて該ＡＤコンバータに入力する切り換え手段を有することを特徴とするテレビジョン装置。
【請求項２】
外部ビデオ信号を入力するステップと、デジタルテレビジョン信号を選択受信して信号処理するステップと、外部ビデオ信号をデジタイズするステップと、デジタイズされた外部ビデオ信号を画像処理して表示手段により表示するステップとからなるテレビジョン装置の制御方法において、
該外部ビデオ信号と信号処理されたデジタルテレビジョン信号とを切り換えてデジタイズするステップを有することを特徴とするテレビジョン装置の制御方法。
【手続補正書】
【提出日】平成16年10月19日(2004.10.19)
【手続補正１】
【補正対象書類名】明細書
【補正対象項目名】特許請求の範囲
【補正方法】変更
【補正の内容】
【特許請求の範囲】
【請求項１】
デジタル放送のマルチビュー放送において同時に受信する複数の番組であって、それぞれ単一又は複数の映像データ及び音声データが多重化された各番組を指定する番組指定方法において、
上記複数の番組の映像を同一画面上に分割表示する分割表示を行い、視聴者から画面上に分割表示された上記番組が指定され、指定された番組の音声を出力することを特徴とする番組指定方法。
【請求項２】
分割表示時において、画面上に分割表示された上記各番組の映像エリア上に、上記各番組に多重化された映像データ又は／及び音声データに関する情報を表示することを特徴とする請求項１記載の番組指定方法。
【請求項３】
上記複数の番組は、１の主番組と、１以上の副番組からなり、上記主番組の映像を画面全体に出力した後に、上記分割表示を行うことを特徴とする請求項１記載の番組指定方法。
【請求項４】
上記番組の指定を、画面上のカーソルを移動させて行うことを特徴とする請求項１記載の番組指定方法。
【請求項５】
上記指定された番組の映像を画面全体に表示することを特徴とする請求項１記載の番組指定方法。
【請求項６】
上記指定された番組に多重化された映像データ又は／及び音声データに関する情報を画面上に表示することを特徴とする請求項５記載の番組指定方法。
【請求項７】
デジタル放送のマルチビュー放送で、それぞれ単一又は複数の映像データ及び音声データが多重化された複数の番組を同時に受信する受信装置において、受信した上記複数の番組の映像を同一画面上に分割表示する分割表示を行う表示制御手段と、画面上に分割表示された上記番組を視聴者が指定する指定手段とを備え、上記表示制御手段は、視聴者が上記指定手段を介して指定した番組の音声を出力することを特徴とする受信装置。
【請求項８】
上記表示制御手段は、同一画面上への分割表示を行う場合において、画面上に分割表示された上記各番組の映像エリア上に、上記各番組に多重化された映像データ又は／及び音声データに関する情報を表示することを特徴とする請求項７記載の受信装置。
【請求項９】
上記複数の番組は、１の主番組と、１以上の副番組からなり、上記表示制御手段は、上記主番組の映像を画面全体に出力した後に、上記分割表示を行うことを特徴とする請求項７記載の受信装置。
【請求項１０】
上記指定手段は、上記番組を、画面上のカーソルにより指定させることを特徴とする請求項７記載の受信装置。
【請求項１１】
上記表示制御手段は、視聴者が上記指定手段を介して指定した番組の映像を画面全体に表示することを特徴とする請求項７記載の受信装置。
【請求項１２】
上記表示制御手段は、視聴者が上記指定手段を介して指定した番組に多重化された映像データ又は／及び音声データに関する情報を画面上に表示することを特徴とする請求項１１記載の受信装置。
【手続補正２】
【補正対象書類名】明細書
【補正対象項目名】００１２
【補正方法】変更
【補正の内容】
【００１２】
【課題を解決するための手段】
本発明に係る番組指定方法は、上述の課題を解決するために、デジタル放送のマルチビュー放送において同時に受信する複数の番組であって、それぞれ単一又は複数の映像データ及び音声データが多重化された各番組を指定する番組指定方法において、上記複数の番組の映像を同一画面上に分割表示する分割表示を行い、視聴者から画面上に分割表示された上記番組が指定され、指定された番組の音声を出力することを特徴とする。
【手続補正３】
【補正対象書類名】明細書
【補正対象項目名】００１３
【補正方法】変更
【補正の内容】
【００１３】
この番組指定方法は、複数の番組の映像を画面上に分割表示し、分割表示した番組の映像の中から、視聴者が指定した番組の音声を出力する。
【手続補正４】
【補正対象書類名】明細書
【補正対象項目名】００１４
【補正方法】変更
【補正の内容】
【００１４】
本発明に係る受信装置は、上述の課題を解決するために、デジタル放送のマルチビュー放送でそれぞれ単一又は複数の映像データ及び音声データが多重化された複数の番組を同時に受信する受信装置において、受信した上記複数の番組の映像を同一画面上に分割表示する分割表示を行う表示制御手段と、画面上に分割表示された上記番組を視聴者が指定する指定手段とを備え、上記表示制御手段は、視聴者が上記指定手段を介して指定した番組の音声を出力することを特徴とする。
【手続補正５】
【補正対象書類名】明細書
【補正対象項目名】００１５
【補正方法】変更
【補正の内容】
【００１５】
この受信装置は、複数の番組の映像を画面上に分割表示し、分割表示した番組の映像の中から、視聴者が指定した番組の音声を出力する。
【手続補正６】
【補正対象書類名】明細書
【補正対象項目名】００５５
【補正方法】変更
【補正の内容】
【００５５】
【発明の効果】
以上詳細に説明したように、本発明に係る番組指定方法及び受信装置は、複数の番組の映像を画面上に分割表示し、分割表示した番組の映像の中から視聴者が指定した番組の音声を出力する。これにより、視聴者は、所望の番組を指定することにより、直ちにその番組の音声を聴くことができ、当該番組の内容を容易に認識することができる。
【手続補正書】
【提出日】平成16年11月8日(2004.11.8)
【手続補正１】
【補正対象書類名】明細書
【補正対象項目名】発明の名称
【補正方法】変更
【補正の内容】
【発明の名称】情報機器システム、及び、情報機器
【手続補正２】
【補正対象書類名】明細書
【補正対象項目名】特許請求の範囲
【補正方法】変更
【補正の内容】
【特許請求の範囲】
【請求項１】
通信機能を有する複数の情報機器を含む情報機器システムにおいて、
上記複数の情報機器の中には、機器自体もしくは機器所有者に固有の情報を表示可能な表示回路を有する情報機器、及び、撮像回路を有する情報機器が含まれており、
上記撮像機能を有する情報機器は、上記表示回路を有する機器にて表示されている上記固有情報を撮像し、この撮像した画像を分析することによって対象機器の固有情報を登録可能であることを特徴とする情報機器システム。
【請求項２】
上記表示回路には、文字列データ、または、バーコードデータが表示されることを特徴とする請求項１に記載の情報機器システム。
【請求項３】
上記固有情報は、通信のためのアドレスデータ、または、パスワードデータであることを特徴とする請求項１に記載の情報機器システム。
【請求項４】
他の情報機器の表示回路に表示されている上記他の情報機器固有の情報を撮像するための撮像回路と、
上記撮像回路で撮像した上記固有情報を分析して、上記他の情報機器の固有情報を登録する画像認識回路と、
上記登録した固有情報に基づいて、上記他の情報機器と通信する通信回路と、
を具備したことを特徴とする情報機器。
【手続補正３】
【補正対象書類名】明細書
【補正対象項目名】０００１
【補正方法】変更
【補正の内容】
【０００１】
【発明の属する技術分野】
本発明は、情報機器システム、及び、情報機器に関するものである。
【手続補正４】
【補正対象書類名】明細書
【補正対象項目名】０００５
【補正方法】変更
【補正の内容】
【０００５】
本発明は、このような課題に着目してなされたものであり、その目的とするところは、通信を行いたい機器を容易に登録することが可能な情報機器システム、及び、情報機器を提供することにある。
【手続補正５】
【補正対象書類名】明細書
【補正対象項目名】０００６
【補正方法】変更
【補正の内容】
【０００６】
【課題を解決するための手段】
上記の目的を達成するために、本発明の第１の態様は、通信機能を有する複数の情報機器を含む情報機器システムにおいて、上記複数の情報機器の中には、機器自体もしくは機器所有者に固有の情報を表示可能な表示回路を有する情報機器、及び、撮像回路を有する情報機器が含まれており、上記撮像機能を有する情報機器は、上記表示回路を有する機器にて表示されている上記固有情報を撮像し、この撮像した画像を分析することによって対象機器の固有情報を登録可能である。
【手続補正６】
【補正対象書類名】明細書
【補正対象項目名】０００７
【補正方法】変更
【補正の内容】
【０００７】
【課題を解決するための手段】
また、本発明の第２の態様は、第１の態様において、上記表示回路には、文字列データ、または、バーコードデータが表示される。
【手続補正７】
【補正対象書類名】明細書
【補正対象項目名】０００８
【補正方法】変更
【補正の内容】
【０００８】
また、本発明の第３の態様は、第１の態様において、上記固有情報は、通信のためのアドレスデータ、または、パスワードデータである。
【手続補正８】
【補正対象書類名】明細書
【補正対象項目名】０００９
【補正方法】変更
【補正の内容】
【０００９】
また、本発明の第４の態様は、他の情報機器の表示回路に表示されている上記他の情報機器固有の情報を撮像するための撮像回路と、上記撮像回路で撮像した上記固有情報を分析して、上記他の情報機器の固有情報を登録する画像認識回路と、上記登録した固有情報に基づいて、上記他の情報機器と通信する通信回路と、を具備する。
【手続補正書】
【提出日】平成16年12月7日(2004.12.7)
【手続補正１】
【補正対象書類名】明細書
【補正対象項目名】特許請求の範囲
【補正方法】変更
【補正の内容】
【特許請求の範囲】
【請求項１】
個人を特定する識別番号を格納した識別番号記憶手段と、前記識別番号記憶手段の識別番号を認識する識別番号受信手段と、前記識別番号受信手段が前記識別番号を認識すると所定時間後に撮影を開始する撮影手段と、前記撮影手段により撮影された撮影画像をその撮影手段による撮影位置情報および前記識別番号とともに保存するサーバと、前記識別番号を用いて前記サーバより所望の撮影画像を選択して取得する端末とを備えたことを特徴とする撮影画像送信システム。
【請求項２】
さらに、前記端末が取得した前記撮影画像を所望の形式に印刷する印刷手段を備えたことを特徴とする請求項１記載の撮影画像送信システム。
【請求項３】
前記サーバは前記撮影画像と共に複数の装飾フレームを送信し、前記印刷手段は取得した撮影画像に所望の装飾フレームを張り付け、所望の形式で印刷することを特徴とする請求項２記載の撮影画像送信システム。
【請求項４】
前記端末が所望の撮影画像を選択すると、前記サーバは選択した前記撮影画像の購入料金を前記端末に提示することを特徴とする請求項１ないし３記載の撮影画像送信システム。
【請求項５】
前記端末が所望の撮影画像を選択すると、前記サーバは選択した前記撮影画像の内少なくとも１枚については無料にした購入料金を前記端末に提示することを特徴とする請求項１ないし３記載の撮影画像送信システム。
【請求項６】
前記端末は、前記サーバへの前記購入料金の支払い手続きを終えた後に、前記撮影画像を取得することを特徴とする請求項４ないし５記載の撮影画像送信システム。
【請求項７】
さらに、前記撮影画像の取得料金を予め支払う料金前払い手段を備え、前記端末は、前記料金前払い手段での前払い料金を確認後、前記識別番号を用いて前記サーバより所望の撮影画像を選択して取得することを特徴とする請求項１記載の撮影画像送信システム。
【請求項８】
さらに、前記サーバに保存されている前記撮影画像を消去する消去手段を備えたことを特徴とする請求項１記載の撮影画像送信システム。
【請求項９】
さらに、選択された前記撮影画像の撮影位置情報が関連付けられた情報ファイルを作成する情報ファイル作成手段と、前記撮影画像と前記情報ファイルを送信する送信手段を備えたことを特徴とする請求項１記載の撮影画像送信システム。
【請求項１０】
個人を特定する識別番号を格納する識別番号記憶ステップと、前記識別番号を認識する識別番号受信ステップと、前記識別番号受信ステップで前記識別番号を認識すると所定時間後に撮影を開始する撮影ステップと、前記撮影ステップで撮影された撮影画像をその撮影ステップにおける撮影位置情報および前記識別番号とともにサーバに保存する保存ステップと、前記識別番号を用いて前記サーバより所望の撮影画像を選択して取得する取得ステップとを備えたことを特徴とする撮影画像送信方法。
【請求項１１】
さらに、前記取得ステップで取得した撮影映像を所望の形式に印刷する印刷ステップを備えたことを特徴とする請求項１０記載の撮影画像送信方法。
【請求項１２】
前記取得ステップの撮影画像は複数の装飾フレームと共に送信され、前記印刷ステップは取得した前記撮影画像に所望の装飾フレームを張り付け、所望の形式で印刷することを特徴とする請求項１１記載の撮影画像送信方法。
【請求項１３】
さらに、前記取得ステップにおいて所望の撮影画像が選択されると、選択した撮影画像の購入料金を算出し、前記購入料金の支払い手続きを行う課金ステップを備えたことを特徴とする請求項１０ないし１２記載の撮影画像送信方法。
【請求項１４】
さらに、前記取得ステップにおいて所望の撮影画像が選択されると、選択した撮影画像の内少なくとも１枚については無料にした購入料金を算出し、前記購入料金の支払い手続きを行う課金ステップを備えたことを特徴とする請求項１０ないし１２記載の撮影画像送信方法。
【請求項１５】
前記取得ステップは前記課金ステップによる支払い手続き終了後に前記撮影画像を取得することを特徴とする請求項１３ないし１４記載の撮影画像送信方法。
【請求項１６】
前記取得ステップの前に、前記撮影画像の取得料金を予め支払う料金前払いステップを備え、前記取得ステップは前記料金前払いステップでの前払い料金を確認後、前記識別番号を用いて前記サーバより所望の撮影画像を選択して取得することを特徴とする請求項１０記載の撮影画像送信方法。
【請求項１７】
さらに、前記サーバに保存されている前記撮影画像を消去する消去ステップを備えたことを特徴とする請求項１０記載の撮影画像送信方法。
【請求項１８】
さらに、選択された前記撮影画像の撮影位置情報が関連付けられた情報ファイルを作成する情報ファイル作成ステップと、前記撮影画像と前記情報ファイルを送信する送信ステップを備えたことを特徴とする請求項１０記載の撮影画像送信方法。
【手続補正２】
【補正対象書類名】明細書
【補正対象項目名】０００８
【補正方法】変更
【補正の内容】
【０００８】
【課題を解決するための手段】
前記課題を解決するために、本発明の第１の発明（請求項１に対応）は、個人を特定する識別番号を格納した識別番号記憶手段と、前記識別番号記憶手段の識別番号を認識する識別番号受信手段と、前記識別番号受信手段が前記識別番号を認識すると所定時間後に撮影を開始する撮影手段と、前記撮影手段により撮影された撮影画像をその撮影手段による撮影位置情報および前記識別番号とともに保存するサーバと、前記識別番号を用いて前記サーバより所望の撮影画像を選択して取得する端末とを備えた撮影画像送信システムであり、通信回線を用いて、自分が撮影された撮影画像を容易にダウンロードすることができる。
【手続補正３】
【補正対象書類名】明細書
【補正対象項目名】００１４
【補正方法】変更
【補正の内容】
【００１４】
本発明の第７の発明（請求項９に対応）は、前記第１の発明の構成に、さらに、選択された前記撮影画像の撮影位置情報が関連付けられた情報ファイルを作成する情報ファイル作成手段と、前記撮影画像と前記情報ファイルを送信する送信手段を備えた撮影画像送信システムであり、ユーザによる撮影画像の管理を容易に行うことができる。
【手続補正４】
【補正対象書類名】明細書
【補正対象項目名】０１５３
【補正方法】変更
【補正の内容】
【０１５３】
また、ユーザは、撮影画像と共に、撮影画像の撮影位置情報がリンクされた情報ファイルをダウンロードできるので、撮影日、撮影場所ごとに、撮影画像の管理を容易に行うことができるので、撮影画像を購入しやすくなり、テーマパーク主催者は撮影画像を大量に販売することが可能となる。